(57)【特許請求の範囲】
【請求項１】
光学像を電気信号に変換する撮像素子と、
前記撮像素子から出力されるアナログ形式の撮像信号をデジタル信号に変換するＡ／Ｄ変換器と、
前記Ａ／Ｄ変換器による変換後の未加工データを記憶する第１メモリと、
前記第１メモリから読み出した未加工データを画像処理する信号処理手段と、
前記信号処理手段で画像処理して得た画像データを記憶する第２メモリと、
前記第２メモリに記憶された画像データを表示する表示部と、
前記信号処理手段の画像処理における画質設定に関する情報の変更指示を入力する画質設定手段と、
前記画質設定手段からの変更指示に基づき、前記第１メモリに記憶されている未加工データを新しい画質設定に従って前記信号処理手段に画像処理させる手段と、
前記第２メモリに記憶された画像データの記録を指示する手段と、
前記第２メモリに記憶された画像データの記録の指示に基づき、前記第２メモリに記憶された画像データを記録媒体に記録する手段と、
を備えたことを特徴とする電子カメラ。
【請求項２】
光学像を電気信号に変換する撮像素子と、
前記撮像素子から出力されるアナログ形式の撮像信号をデジタル信号に変換するＡ／Ｄ変換器と、
前記Ａ／Ｄ変換器による変換後の未加工データを記憶する記録媒体と、
前記記録媒体に格納された前記未加工データを読み出し、その読み出した未加工データを前記第１メモリに展開する手段と、
前記第１メモリから読み出した未加工データを画像処理する信号処理手段と、
前記信号処理手段で画像処理して得た画像データを記憶する第２メモリと、
前記第２メモリに記憶された画像データを表示する表示部と、
前記信号処理手段の画像処理における画質設定に関する情報の変更指示を入力する画質設定手段と、
前記画質設定手段からの変更指示に基づき、前記第１メモリに記憶されている未加工データを新しい画質設定に従って前記信号処理手段に画像処理させる手段と、
前記第２メモリに記憶された画像データの記録を指示する手段と、
前記第２メモリに記憶された画像データの記録の指示に基づき、前記第２メモリに記憶された画像データを前記記録媒体に記録する手段と、
を備えたことを特徴とする電子カメラ。
【請求項３】
前記画質設定手段で設定した画質設定の情報と前記未加工データを関連付けてこれらを前記記録媒体に記録する手段を備えたことを特徴とする請求項１又は２の電子カメラ。
【請求項４】
前記記録媒体はカメラ本体に着脱自在な外部記録媒体であることを特徴とする請求項１、２又は３の電子カメラ。
【請求項５】
前記第１メモリとしてカメラ本体に着脱自在な外部記録媒体が用いられることを特徴とする請求項１又は２の電子カメラ。
【請求項６】
前記信号処理手段は、画像データのヒストグラム、平均レベル、ピークレベル、及びボトムレベルのうち少なくとも一つを生成する手段を有し、
前記表示部には、前記第２メモリに記憶された画像データ及び生成されたヒストグラム、平均レベル、ピークレベル、ボトムレベルが表示されることを特徴とする請求項１、２、３、４又は５に記載の電子カメラ。
【発明の詳細な説明】
【０００１】
【発明の属する技術分野】
本発明は電子カメラに係り、特に、デジタルカメラなど撮像素子を用いて光学像を電気信号に変換し、当該画像情報を記録する電子カメラに関する。
【０００２】
【従来の技術】
従来の一般的なデジタルカメラでは、ホワイトバランス（ＷＢ）、階調、明るさ、色調、シャープネス等の画質に関する諸設定は、予め標準的なレベルに設定されている。また、撮影対象やユーザーの好みによってこれら画質設定を変更し得る機能を備えているカメラも知られている。
【０００３】
特開平８−３１７２７６号公報には、撮影対象がオシロスコープの画面や、テレビジョンモニタの画面である場合に、撮影モードを切り替えて撮影対象に合わせてホワイトバランス等の設定を変更する電子カメラが開示されている。
【０００４】
【発明が解決しようとする課題】
しかしながら、画質設定の変更が可能な従来のカメラにおいては、撮影の前にこれら各種設定パラメータを設定する必要があった。そして、設定後に撮影を行って得られた画像の画質が撮影者の意に沿わない場合には、再度設定を変更して撮影し直すか、あるいは、記録した画像をパソコンの画像加工用アプリケーション（ソフトウェア）等を利用して修正しなければならなかった。
【０００５】
このような従来の態様は、煩わしく、シャッターチャンスを逃してしまうという欠点がある。また、画像記録後に画像加工用アプリケーション（ソフトウェア）等を利用して画像を加工すると画質が低下するという欠点がある。
【０００６】
本発明はこのような事情に鑑みてなされたもので、一度撮影した画像の画質設定を、画質の低下を招くことなく再設定することができる電子カメラを提供することを目的とする。
【０００７】
【課題を解決するための手段】
前記目的を達成するために本発明に係る電子カメラは、光学像を電気信号に変換する撮像素子と、前記撮像素子から出力されるアナログ形式の撮像信号をデジタル信号に変換するＡ／Ｄ変換器と、前記Ａ／Ｄ変換器による変換後の未加工データを記憶する第１メモリと、前記第１メモリから読み出した未加工データを画像処理する信号処理手段と、前記信号処理手段で画像処理して得た画像データを記憶する第２メモリと、前記第２メモリに記憶された画像データを表示する表示部と、前記信号処理手段の画像処理における画質設定に関する情報の変更指示を入力する画質設定手段と、前記画質設定手段からの変更指示に基づき、前記第１メモリに記憶されている未加工データを新しい画質設定に従って前記信号処理手段に画像処理させる手段と、前記第２メモリに記憶された画像データの記録を指示する手段と、前記第２メモリに記憶された画像データの記録の指示に基づき、前記第２メモリに記憶された画像データを記録媒体に記録する手段と、を備えたことを特徴としている。
【０００８】
本発明によれば、撮像素子を介して被写体が撮像され、被写体像を示す撮像信号が撮像素子から出力される。この撮像信号はＡ／Ｄ変換器でデジタル信号に変換され、撮像素子からの生データ（未加工データ）として、未加工データ記憶手段に記憶される。この未加工データを基に信号処理手段において画質設定の情報を考慮した信号処理が行われ、その結果が表示部に表示される。
【０００９】
ユーザーは表示部に映し出される画像を確認しながら、画質設定手段から画質設定の変更、調整等の指示を入力することができる。信号処理手段は、ユーザが設定した画質設定の情報に基づき、前記未加工データ記憶手段から未加工データを読み出して新たな画質設定の情報に従って画像処理をやり直す。これにより、画質の低下を招くことなく画質設定の修正が可能になる。画質設定パラメータとしては、ホワイトバランス、階調、ゲイン、色調、シャープネス等がある。
【００１０】
本発明の一態様として、前記画質設定手段で設定した画質設定の情報にしたがって前記信号処理手段で画像処理した結果得られる画像を記録媒体に記録する記録手段を付加する態様がある。また、本発明の他の態様によれば、前記画質設定手段で設定した画質設定の情報と前記未加工データを関連付けて記録媒体に記録する記録手段を備えたことを特徴としている。
【００１１】
前記未加工データ記憶手段としては、カメラに内蔵されている内部メモリでもよいし、カメラ本体に着脱自在な外部記録媒体（リムーバブルメディア）でもよい。また、ユーザーが画質設定の効果を確認するための補助手段として、前記表示部において、撮像信号のヒストグラム、平均レベル、ピークレベル、及びボトムレベルのうち少なくとも一つを表示する態様も好ましい。
【００１２】
【発明の実施の形態】
以下添付図面に従って本発明に係る電子カメラの好ましい実施の形態について詳説する。
【００１３】
図１は本発明の実施の形態を示す電子カメラのブロック図である。この電子カメラ１０は、主として撮影レンズ１２、撮像素子としてのＣＣＤ１４、サンプリングホールド回路１６、Ａ／Ｄ変換器１８、メモリコントローラ２０、第１メモリ２２、第２メモリ２４、信号処理部２６、中央処理装置（ＣＰＵ）２８、圧縮伸張回路３０、メモリカード３２が着脱されるカードインターフェース３４、画質設定手段３６その他の指示入力手段を含む操作部３８、及び撮影画像等を表示する表示部４０から構成される。
【００１４】
撮影レンズ１２は、１枚又は複数枚のレンズで構成され、単一の焦点距離（固定焦点）のレンズでも良いし、ズームレンズや望遠／広角の二焦点切替式レンズの如く焦点距離可変のものでもよい。
【００１５】
撮影レンズ１２を介してＣＣＤ１４の受光面に結像された被写体像は、各センサで入射光量に応じた量の信号電荷に変換される。このようにして蓄積された信号電荷は、図示しないＣＣＤ駆動回路から加えられるリードゲートパルスによって読み出され、信号電荷に応じた電圧信号（アナログ撮像信号）として順次ＣＣＤ１４から出力される。
【００１６】
ＣＣＤ１４には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１４は、シャッターゲートパルスによって各センサに蓄積される電荷の蓄積時間（シャッタースピード）を制御する、いわゆる電子シャッター機能を有している。
【００１７】
ＣＣＤ１４から読み出されたアナログ撮像信号は、サンプリングホールド回路１６に送られ、ここで相関二重サンプリング（ＣＤＳ）処理並びにＲ，Ｇ，Ｂの各色信号に色分離処理される。各画素毎にサンプリングホールドされた撮像信号は、Ａ／Ｄ変換器１８においてＲ，Ｇ，Ｂのデジタル信号に変換された後、画像処理前に、メモリコントローラ２０を介して第１メモリ２２に格納される。
【００１８】
このとき第１メモリ２２に記憶されるデータは、Ａ／Ｄ変換後の未加工データであり、階調変換、明るさ補正、色調補正等の画像信号処理を経ていないデータである。この未加工データを「ＣＣＤ−raw データ」と呼ぶことにする。ただし、「未加工データ」といっても、一切の信号処理を排除するものではなく、例えば、ＣＣＤ１４の欠陥画素（キズ）のデータを補間するキズ補正処理を行って得られたデータも画質調整に関する画像処理を行っていないという点で「ＣＣＤ−raw データ」の概念に含まれるものとする。
【００１９】
第１メモリ２２に記憶されたデータはメモリコントローラ２０を介して信号処理部２６へ送られる。信号処理部２６はＣＰＵ２８から画質設定パラメータに関する情報を取得し、入力されたＣＣＤ−raw データを当該設定されている画質設定の情報に従って画像処理する。ＣＰＵ２８は、画質設定パラメータについて所定の初期設定値（標準設定値）を有しており、ユーザーが画質設定手段３６で画質の変更指示を与えない時は、所定の初期設定値に基づいて画像処理される。
【００２０】
信号処理部２６において画質設定パラメータの情報を考慮した画像処理が実行された結果得られた画像データは、第２メモリ２４に記憶される。
【００２１】
第２メモリ２４に記憶された画像データはメモリコントローラ２０を介して表示部４０に出力される。表示部４０に加えられた画像データは表示用の所定方式の信号（例えば、ＮＴＳＣ方式のカラー複合映像信号）に変換され、当該画像データの画像内容が表示部４０の画面上にモニタ出力される。こうして、撮影者は表示部４０に映し出される画像（プレビュー画像）を見て記録前に画像の画質を確認することができる。
【００２２】
表示部４０に表示されている画像の画質を修正したい場合、ユーザーは画質設定手段３６から所望の画質設定パラメータの設定変更の指示を入力する。この変更指示に基づき、ＣＰＵ２８は第１メモリ２２に記憶されているデータを新しい画質設定に従って再度の画像処理を実行する。ユーザーが画質設定手段から指定した画質設定の情報に基づいて信号処理部２６で再度画像処理した結果得られた画像データは、第２メモリ２４に記憶され、当該変更後の画像データが表示部４０にモニタ出力される。
【００２３】
このように、ユーザーは表示部４０で画像を確認しながら画質の調整ができる。所望の画質再現が得られたところで、ユーザーが操作部３８から当該画像の記録を指示すると、ＣＰＵ２８は、圧縮伸張回路３０にコマンドを送り、これにより圧縮伸張回路３０は第２メモリ２４上のデータをＪＰＥＧその他の所定の形式に従って圧縮する。圧縮された画像データはカードインターフェース３４を介してメモリカード３２に記録される。メモリカード３２には例えばスマートメディア（Solid-State Floppy Disk Card）が用いられる。
【００２４】
なお、記録媒体はスマートメディアに限らず、ＰＣカード、コンパクトフラッシュ、磁気ディスク、光ディスク、光磁気ディスク、メモリスティックなど種々の形態が可能であり、使用される媒体に応じた信号処理手段とインターフェースが適用される。
【００２５】
操作部３８は、画像記録開始の指示を与えるレリーズボタン等の操作ボタンのほか、画質設定パラメータを選択し、或いは設定値等を調整・変更する画質設定手段３６、カメラのモード選択手段、その他の各種の入力手段を含むブロックである。操作部３８はカメラ本体に設けられていてもよいし、リモコン送信機としてカメラ本体と分離した構成でもよい。
【００２６】
ＣＰＵ２８は、本電子カメラ１０の各回路を統括制御する制御部（制御手段）であり、バス４２を介してメモリコントローラ２０、第１メモリ２２、第２メモリ２４、信号処理部２６、圧縮伸張回路３０、及びカードインターフェース３４等と接続されている。
【００２７】
ＣＰＵ２８は操作部３８から受入する入力信号に基づき、対応する回路の動作を制御するとともに、レンズ１２のズーミング動作や焦点調節（ＡＦ）動作の制御、並びに自動露出調節（ＡＥ）制御等を行う。また、ＣＰＵ２８は表示部４０における表示を制御する表示制御部としても機能する。
【００２８】
表示部４０には、ＣＣＤ１４で撮像した画像が表示されるのみならず、再生モード時にはメモリカード３２から読み出した画像データに基づく再生画像が表示される。ＣＣＤ１４から出力される撮像信号によって画像データが定期的に書き換えられ、その画像データから生成されるビデオ信号が表示部４０に供給されることにより、ＣＣＤ１４が捉える画像がリアルタイムに動画像（ライブ画像）として、又はリアルタイムではないが、ほぼ連続した画像として表示部４０に表示される。
【００２９】
こうして、表示部４０は電子ビューファインダーとしても兼用される。撮影者は表示部４０の表示画面又は光学ファインダーによって画角を確認することができる。そして、操作部３８のシャッターボタンの押下操作に呼応して記録用の画像データの取り込みが開始される。
【００３０】
次に、上記の如く構成された電子カメラの動作について説明する。
【００３１】
図２は本例の電子カメラにおけるＣＰＵ２８の制御手順を示すフローチャートである。同図に示すように、ＣＰＵ２８による制御がスタートし（ステップＳ２００）、シャッターボタンの押下など撮影開始の指示が与えられると、当該指示に基づいて撮影動作を行う（ステップＳ２１０）。この撮影動作によってＣＣＤ１４から読み出されたデータ（ＣＣＤ−raw データ) が第１メモリ２２に取り込まれる（ステップＳ２１２）。
【００３２】
次いで、ＣＰＵ２８は画質設定に関する情報を取得し（ステップＳ２１４）、その設定に従って第１メモリ２２のデータを画像処理して画像データを作成する（ステップＳ２１６）。なお、初期状態では画質設定パラメータは予め標準的な値（初期設定値）に設定されている。
【００３３】
次いで、画質設定を反映させた画像処理の結果得られた画像データを表示部４０に表示させる（ステップＳ２１８）。ユーザーは表示部４０の画像を確認して画質の良否を判断し、画質ＯＫならばその旨を操作部３８から入力し、画質ＮＧならばその旨を入力する。ＣＰＵ２８は操作部３８から入力する信号に基づいて画質の良否を判定する（ステップＳ２２０）。
【００３４】
ステップＳ２２０において、画質ＮＧの判定（ＮＯ判定）を得た時は、ステップＳ２２４に分岐して画質設定の変更処理を行う。ユーザーは表示部４０に表示される画像の画質に不満があるときは、画質設定手段３６を操作して所望の画質設定パラメータを選択し、その設定を調整・変更する。ＣＰＵ２８は画質設定手段３６の指示に従って、画質設定の情報を更新する（ステップＳ２２２）。その後、ステップＳ２１４に戻り、変更された画質設定の情報に基づいて、第１メモリ２２のデータが再度画像処理され、変更後の画像が表示部４０に表示される（ステップＳ２１６、Ｓ２１８）。
【００３５】
ユーザーが望んだ画質再現を得ることができるまでステップＳ２１４〜Ｓ２２２の処理が繰り返される。ステップＳ２２０において、画質ＯＫの判定（ＹＥＳ判定）を得た時は、ステップＳ２２４に進み、表示部４０において表示中の画像データをメモリカード３２に書き込む記録処理を実行する。画像記録の処理が終了すると、本制御シーケンスを終了する（ステップＳ２３０）。
【００３６】
図３は電子カメラにおける他の制御例を示すフローチャートである。図２ではＣＣＤ１４で撮影した被写体の撮像データ（ＣＣＤ−raw ）を第１メモリ２２に取り込み、これを記録処理する制御例を述べたが、ＣＣＤ−raw データをメモリカード３２に書き込んで保存することも可能である。
【００３７】
図３ではメモリカード３２に予めＣＣＤ−raw データが格納されているものとし、メモリカード３２から読み出したＣＣＤ−raw データを処理する制御例を示している。
【００３８】
図３によれば、本制御シーケンスがスタートすると（ステップＳ３００）、ＣＰＵ２８はメモリカード３２に記録されているＣＣＤ−raw データを読み出し、その読み出したデータを第１メモリ２２上に展開する。以後の処理は図２で説明したステップＳ２１４〜Ｓ２２６と同様である。
【００３９】
ＣＰＵ２８は画質設定の情報を取得し（ステップＳ３１４）、設定に従って第１メモリ２２のデータを画像処理して画像データを作成する（ステップＳ３１６）。次いで、画質設定を反映させた画像処理の結果得られた画像データを表示部４０に表示させる（ステップＳ３１８）。ユーザーは表示部４０の画像を確認して画質の良否を判断し、画質ＯＫならばその旨を操作部３８から入力し、画質ＮＧならばその旨を入力する。ＣＰＵ２８は操作部３８から入力する信号に基づいて画質の良否を判定する（ステップＳ３２０）。
【００４０】
ステップＳ３２０において、画質ＮＧの判定（ＮＯ判定）を得た時は、ステップＳ２２４に分岐して画質設定の変更を行う。ユーザーは表示部４０に表示される画像の画質に不満があるときは、画質設定手段を操作して所望の画質設定パラメータを選択し、その設定値を所望の値に調整・変更する。ＣＰＵ２８は画質設定手段３６の指示に従って、画質設定の情報を更新する（ステップＳ３２２）。その後、ステップＳ３１４に戻り、変更された画質設定の情報に基づいて、第１メモリ２２のデータが再度画像処理され、変更後の画像が表示部に表示される（ステップＳ３１６、Ｓ３１８）。
【００４１】
ユーザーが望んだ画質再現を得ることができるまでステップＳ３１４〜Ｓ３２２の処理が繰り返される。ステップＳ３２０において、画質ＯＫの判定（ＹＥＳ判定）を得た時は、ステップＳ３２４に進み、表示部４０において表示中の画像データをメモリカード３２に書き込む記録処理を実行する。画質ＯＫが確認された画像データはＣＣＤ−raw データと同じメモリカード３２に記録してもよいし、カードを差し替えて別のメモリカード３２に記録してもよい。画像記録の処理が終了すると、本制御シーケンスを終了する（ステップＳ３３０）。
【００４２】
図４には図３で説明した制御シーケンスの変形例が示されている。図４中図３と共通するステップ（工程）には同一の符号を付し、説明を省略する。
【００４３】
図３では、ステップＳ３２０において画質ＯＫとの判定を得た場合に、当該画質設定に従って画像処理した結果得られた画像データをメモリカード３２に記録するのに対し（図３ステップＳ３２４）、図４に示す制御シーケンスでは、図３ステップＳ３２４がステップＳ３２６で置換されている。すなわち、ステップＳ３２０において画質ＯＫとの判定を得た場合に、ステップＳ３２６に進み、ここでＣＣＤ−raw データに画質設定パラメータの情報を付加し、これらを関連付けてメモリカード３２に記録するようになっている（図４ステップＳ３２６）。
【００４４】
図４に示した制御シーケンスによれば、画質設定パラメータの設定情報とＣＣＤ−raw データを関連付けてこれらを一緒にメモリカード３２に記録しているので、後でパソコン等の機器でメモリカード３２の内容を読み出し、その情報に基づいて画像処理を行うことで、撮影者（ユーザー）が意図した画質の画像を再現することができる。もちろん、図２で説明した制御シーケンスにおいてステップＳ２２４を図４のステップＳ３２６で置換する態様も可能である。
【００４５】
図５は本例の電子カメラ１０におけるＣＰＵ２８の他の制御例を示すフローチャートである。同図に示すように、ＣＰＵ２８による制御がスタートし（ステップＳ５００）、シャッターボタンの押下など撮影開始の指示が与えられると、当該指示に基づいて撮影動作を行う（ステップＳ５１０）。この撮影動作によってＣＣＤ１４から読み出されたデータ（ＣＣＤ−raw データ) が第１メモリ２２に取り込まれる（ステップＳ５１２）。
【００４６】
次いで、ＣＰＵ２８は画質設定の情報を取得し（ステップＳ５１４）、設定に従って第１メモリ２２のデータを画像処理して画像データ及びヒストグラムデータを生成する（ステップＳ５１６）。なお、初期状態では画質設定パラメータは予め標準的な値（初期設定値）に設定されている。
【００４７】
信号処理部２６はヒストグラム生成手段を有し、ＣＰＵ２８の指示に基づき、前記第１メモリ２２から読み出した１画面分のデータから信号レベルに対する撮像信号の積算値の分布を示すヒストグラムを作成する。
【００４８】
次いで、画質設定を反映させた画像処理の結果得られた画像データ及びヒストグラムを表示部４０に表示させる（ステップＳ２１８）。ヒストグラム表示は、輝度信号のヒストグラムとＲ、Ｇ、Ｂの各色信号のヒストグラムを組み合わせて表示させてもよいし、それぞれを別々に表示してもよい。
【００４９】
表示方法としては、ヒストグラム情報を画像に重ね表示してもよいし、操作部３８の画面切換指示に応じて画像表示画面とヒストグラム表示画面を切り換え可能にしてもよい。また、表示画面を分割して画像とヒストグラムを同時に表示させる態様も可能である。このような複数の表示形態の中からユーザーが好みに応じて操作部３８より自由に選択できるように構成することが好ましい。
【００５０】
ユーザーは表示部４０の画像及びヒストグラム情報を見て画質の良否を判断し、画質ＯＫならばその旨を操作部３８から入力し、画質ＮＧならばその旨を入力する。ＣＰＵ２８は操作部３８から入力する信号に基づいて画質の良否を判定する（ステップＳ５２０）。
【００５１】
ステップＳ５２０において、画質ＮＧの判定（ＮＯ判定）を得た時は、ステップＳ２２４に分岐して画質設定の変更を行う。ユーザーは表示部４０に表示される画像の画質に不満があるときは、画質設定手段３６を操作して所望の画質設定パラメータを選択し、その設定値を調整・変更する。ＣＰＵ２８は画質設定手段３６の指示に従って、画質設定の情報を更新する（ステップＳ５２２）。その後、ステップＳ５１４に戻り、変更された画質設定の情報に基づいて、第１メモリ２２のデータが再度画像処理され、変更後の画像及びヒストグラムが表示部４０に表示される（ステップＳ５１６、Ｓ５１８）。
【００５２】
ユーザーが望んだ画質再現を得ることができるまでステップＳ５１４〜Ｓ５２２の処理が繰り返される。ステップＳ５２０において、画質ＯＫの判定（ＹＥＳ判定）を得た時は、ステップＳ５２４に進み、表示部４０において表示中の画像データをメモリカード３２に書き込む記録処理を実行する。画像記録の処理が終了すると、本制御シーケンスを終了する（ステップＳ５３０）。
【００５３】
なお、ステップＳ５２４に代えて、図４で説明したステップＳ３２６に置き換えることも可能である。
【００５４】
図５は画質設定の際にユーザーが画質を判断するための補助手段として、画像表示のみならずヒストグラムの表示を行う例を述べたが、ヒストグラム表示に代えて、またはヒストグラム表示に追加して、撮像信号の平均レベル、ピークレベル、ボトムレベルの表示などを行ってもよい。
【００５５】
上記実施の形態では、メモリカード３２に画像データを記録する態様を述べたが、これに代えて、又はこれに追加して、電子カメラ１０の内部に画像データを蓄積するための記憶手段を具備するとともに、外部機器との間でデータの送受信が可能な通信インターフェース（通信手段）を付加し、当該カメラ内部の記憶手段に蓄えた画像データを通信インターフェースを介してパソコン等の外部機器に転送できる構成にしてもよい。
【００５６】
また、上述の実施の形態では、本発明を静止画記録用の電子カメラに適用した例を述べたが、本発明の適用範囲はこれに限らず、動画記録用の電子カメラ、静止画／動画の両記録機能を兼備した電子カメラにも適用することができる。動画記録可能な電子カメラの場合は、記録指示手段としてシャッターボタンに代えて、録画の開始／停止を指示する録画ボタンなどが設けられる。
【００５７】
【発明の効果】
以上説明したように本発明に係る電子カメラによれば、撮像素子から出力された撮像信号のＡ／Ｄ変換後の未加工データ（画像処理前のデータ）を保存する手段を備え、画質設定手段による画質設定の変更指示に応じて、前記未加工データを基に再処理を行うようにしたので、画質の低下を招くことなく、また再撮影せずに画質変更が可能となる。
【００５８】
また、未加工データと画質設定の情報を関連付けて記録保存することにより、一旦記録した画像を、画質の低下なく、後から画質設定の変更が可能となる。
【図面の簡単な説明】
【図１】本発明の実施の形態を示す電子カメラのブロック図
【図２】本例の電子カメラにおいてプレビュー画を見ながら画質設定の変更を行う場合のＣＰＵの制御手順を示すフローチャート
【図３】本例の電子カメラにおいてＣＣＤ−raw データを再生した後、画質設定を変更し、変更後の画像データを記録する場合のＣＰＵの制御手順を示すフローチャート
【図４】本例の電子カメラにおいてＣＣＤ−raw データを再生した後、画質設定を変更し、ＣＣＤ−raw データと変更された画質設定の情報を記録する場合のＣＰＵの制御手順を示すフローチャート
【図５】本例の電子カメラにおいて画質設定を変更した画像のヒストグラムを表示する場合のＣＰＵの制御手順を示すフローチャート
【符号の説明】
１０…電子カメラ、１４…ＣＣＤ（撮像素子）、１８…Ａ／Ｄ変換器、２２…第１メモリ（未加工データ記憶手段）、２６…信号処理部（信号処理手段）、２８…ＣＰＵ（信号処理手段）、３２…メモリカード（記録媒体、未加工データ記憶手段）、３４…カードインターフェース（記録手段）、３６…画質設定手段、４０…表示部
【図１】
0004126640.tif 000002
【図２】
0004126640.tif 000003
【図３】
0004126640.tif 000004
【図４】
0004126640.tif 000005
【図５】
0004126640.tif 000006